(57)【要約】【課題】  電流プログラム時のソースラインの電流値を増加させる。【解決手段】  複数の画素毎に、電気光学素子と、ソースラインを介して電気光学素子に電荷を、書込選択信号に応じて選択的に供給するアクティブ素子手段とを備えた電気光学パネルを駆動する電気光学パネルの駆動装置であって、書込走査ラインを介して書込選択信号を、第ｎ行目の画素行に対する電荷書込用の水平走査期間のうちの第１期間には、第ｎ行目を含むｋ行分の画素行に対して同時に供給し、電荷書込用の水平走査期間のうちの第２期間には、第ｎ行目の画素行に対して供給する第１駆動手段と、第１期間には、任意の一のソースラインに沿ったｋ行分の画素部に対して一のソースラインを介して第１電荷供給を同時に行い、第２期間には、第ｎ行目の画素部に対して一のソースラインを介して第２電荷供給を行う第２駆動手段とを備える。【選択図】  図５
2005164823.tif 000002
【特許請求の範囲】
【請求項１】
画像表示領域における複数の画素毎に、電気光学素子と、該電気光学素子をアクティブ制御することでソースラインを介して前記電気光学素子に電荷を、各画素行の電荷書込用の水平走査期間を選択する書込選択信号に応じて選択的に供給するアクティブ素子手段とを備えたアクティブマトリクス型の電気光学パネルを駆動する電気光学パネルの駆動装置であって、
前記各画素行に対応して設けられた書込走査ラインを介して前記書込選択信号を、第ｎ（但し、ｎは自然数）行目の画素行に対する前記電荷書込用の水平走査期間のうちの第１期間には、前記第ｎ行目を含むｋ（但し、ｋは２以上の自然数）行分の画素行に対して同時に供給し、前記電荷書込用の水平走査期間のうちの第２期間には、前記第ｎ行目の画素行に対して供給する第１駆動手段と、
前記第１期間には、任意の一のソースラインに沿った前記ｋ行分の画素部に対して前記一のソースラインを介して第１電荷供給を同時に行い、前記第２期間には、前記第ｎ行目の画素部に対して前記一のソースラインを介して第２電荷供給を行う第２駆動手段と
を備えたことを特徴とする電気光学パネルの駆動装置。
【請求項２】
前記アクティブ素子手段は、前記第２期間以降に、各画素行の表示用の水平走査期間を選択する表示選択信号に応じて、前記第ｎ行目の画素部に係る前記電気光学素子へ、前記第２電荷供給に応じた電荷供給を行うように構成されており、
前記第１駆動手段は、前記各画素行に対応して設けられた選択走査ラインを介して前記表示選択信号を、前記第２期間以降に、前記第ｎ行目の画素行に対して供給し、
前記第２駆動手段は、前記第１期間には、前記第１電荷供給として偽データ信号の供給を行い、前記第２期間には、前記第２電荷供給として前記第ｎ行目の画素部に対するデータ信号の供給を行うことを特徴とする請求項１に記載の電気光学パネルの駆動装置。
【請求項３】
前記第１駆動手段は、前記ｋ行分についての前記書込用の水平走査期間が終了した後に、前記ｋ行分に含まれる前記第ｎ行目に対して前記表示用の水平走査期間を選択するように前記表示選択信号を供給することを特徴とする請求項２に記載の電気光学パネルの駆動装置。
【請求項４】
前記アクティブ素子手段は、前記書込選択信号により前記第１及び第２電荷供給を開始させる少なくとも一つの第１アクティブ素子と、前記表示選択信号により前記第ｎ行目の画素部に係る前記電気光学素子への前記第２電荷供給に応じた電荷供給を行う少なくとも一つの第２アクティブ素子とを備えたことを特徴とする請求項２又は３に記載の電気光学パネルの駆動装置。
【請求項５】
前記複数の画素毎に、前記アクティブ素子手段の一部を介して前記電気光学素子に印加される電荷量を規定するように前記第２電荷供給によって蓄電される保持容量を更に備えており、
前記第２駆動手段は、前記第１及び第２期間には、前記第１及び第２電荷供給を夫々、前記ソースライン及び前記保持容量に対して行うことを特徴とする請求項１から４のいずれか一項に記載の電気光学パネルの駆動装置。
【請求項６】
前記第２駆動手段は、前記第２期間には、前記第２電荷供給を前記ソースライン及び前記保持容量に対して行うことで、前記第ｎ行目の画素部に対するデータ信号に対応する電圧を前記保持容量に書き込むことを特徴とする請求項５に記載の電気光学パネルの駆動装置。
【請求項７】
前記ｋ行分の画素行は、前記ｎ行目の画素行、第ｎ＋１行目の画素行、第ｎ＋２行目の画素行からなることを特徴とする請求項１から６のいずれか一項に記載の電気光学パネルの駆動装置。
【請求項８】
請求項１から７のいずれか一項に記載の電気光学パネルの駆動装置と、
前記電気光学パネルと
を備えたことを特徴とする電気光学装置。
【請求項９】
請求項８に記載の電気光学装置を具備することを特徴とする電子機器。
【請求項１０】
画像表示領域における複数の画素毎に、電気光学素子と、該電気光学素子をアクティブ制御することでソースラインを介して前記電気光学素子に電荷を、各画素行の電荷書込用の水平走査期間を選択する書込選択信号に応じて選択的に供給するアクティブ素子手段とを備えたアクティブマトリクス型の電気光学パネルを駆動する電気光学パネルの駆動方法であって、
前記各画素行に対応して設けられた書込走査ラインを介して前記書込選択信号を、第ｎ（但し、ｎは自然数）行目の画素行に対する前記電荷書込用の水平走査期間のうちの第１期間には、前記第ｎ行目を含むｋ（但し、ｋは２以上の自然数）行分の画素行に対して同時に供給し、前記電荷書込用の水平走査期間のうちの第２期間には、前記第ｎ行目の画素行に対して供給する第１駆動工程と、
前記第１期間には、任意の一のソースラインに沿った前記ｋ行分の画素部に対して前記一のソースラインを介して第１電荷供給を同時に行い、前記第２期間には、前記第ｎ行目の画素部に対して前記一のソースラインを介して第２電荷供給を行う第２駆動工程と
を備えたことを特徴とする電気光学パネルの駆動方法。
【発明の詳細な説明】
【技術分野】
【０００１】
本発明は、例えば有機ＥＬ（Electro-Luminescence）パネル等の電気光学パネルを駆動する駆動装置及び駆動方法、該電気光学パネル及び駆動装置を備えてなる有機ＥＬ装置等の電気光学装置、並びにそのような電気光学装置を備えた各種電子機器の技術分野に関する。
【背景技術】
【０００２】
この種の電気光学装置は、基板上の画像表示領域に夫々アクティブ素子、保持容量、及び該保持容量に書き込まれた電荷に応じて駆動される電気光学素子を備える複数の画素部が設けられており、該複数の画素部をアクティブ駆動するために電流プログラムが行われる。このような電流プログラムを行うことにより、各画素部間でのアクティブ素子の閾値電圧のばらつきに起因するフリッカ等の発生を抑制し、高品質な画像表示を行うことが可能となる。
【０００３】
電流プログラム時、各画素部において、保持容量には、該画素部で表示すべき階調に応じた電流がソースラインから供給され、供給された電流に応じた電荷が書き込まれる。ここで、ソースラインの電流値が低いと、保持容量のみならず、ソースラインの寄生容量に電荷を低電流で充電させなければならない。このため、短時間のうちに、各画素部に所定の電荷を書き込むのが困難となる。
【０００４】
そこで、電流プログラム時のソースラインの電流値を増加させるために、下記特許文献１によれば、各画素部に薄膜トランジスタ（Ｔｈｉｎ Ｆｉｌｍ Ｔｒａｎｓｉｓｔｏｒ；以下適宜、”ＴＦＴ”と称する）を用いて構成されるカレントミラーが設けられる。或いは、下記特許文献２又は３によれば、ソースラインに沿って配列された複数行の画素部が選択される。特に、特許文献２によれば、１つの画素部に供給される電流に対し、選択されたｋ行（但し、ｋは２以上の自然数）の画素部に応じて、ｋ倍の電流がソースラインに書き込まれる。
【０００５】
【特許文献１】特開２００３−９９００１号公報
【特許文献２】特開２００３−１５００８２号公報
【特許文献３】特開平１０−１９８３１３号公報
【発明の開示】
【発明が解決しようとする課題】
【０００６】
しかしながら、特許文献１によれば、各画素部の回路規模が大きくなるため、画像表示領域における開口率が減少すると共に、電流密度が増加し、電気光学素子の信頼性も落ちることとなる。更に、電気光学素子の動作時、カレントミラーを構成するＴＦＴがオフ状態になるのに伴い、保持容量へのフィールドスルーが生じ、該保持容量に書き込まれた電荷量が変化する。これにより、各画素部における階調の再現性が悪くなるという問題点も生じる。
【０００７】
また、特許文献２によれば、電流プログラム時、各画素部には、選択された画素部によって、ソースラインに書き込まれた電流を平均化した電流が供給される。その結果、選択された画素部のうちいずれかの画素部において例えばアクティブ素子等に欠陥があると、該欠陥の影響が当該選択された画素部全体に及んでしまうこととなる。よって、このような電流プログラムを行っても画像表示領域において良好な画像表示を行うことができなくなる恐れがある。
【０００８】
本発明は、上記問題点に鑑み成されたものであり、高品質な画像表示を行うことが可能な電気光学パネルの駆動装置及びその駆動方法、そのような駆動装置を備えた電気光学装置並びにそのような電気光学装置を備えた各種電子機器を提供することを課題とする。
【課題を解決するための手段】
【０００９】
本発明の電気光学パネルの駆動装置は上記課題を解決するために、画像表示領域における複数の画素毎に、電気光学素子と、該電気光学素子をアクティブ制御することでソースラインを介して前記電気光学素子に電荷を、各画素行の電荷書込用の水平走査期間を選択する書込選択信号に応じて選択的に供給するアクティブ素子手段とを備えたアクティブマトリクス型の電気光学パネルを駆動する電気光学パネルの駆動装置であって、前記各画素行に対応して設けられた書込走査ラインを介して前記書込選択信号を、第ｎ（但し、ｎは自然数）行目の画素行に対する前記電荷書込用の水平走査期間のうちの第１期間には、前記第ｎ行目を含むｋ（但し、ｋは２以上の自然数）行分の画素行に対して同時に供給し、前記電荷書込用の水平走査期間のうちの第２期間には、前記第ｎ行目の画素行に対して供給する第１駆動手段と、前記第１期間には、任意の一のソースラインに沿った前記ｋ行分の画素部に対して前記一のソースラインを介して第１電荷供給を同時に行い、前記第２期間には、前記第ｎ行目の画素部に対して前記一のソースラインを介して第２電荷供給を行う第２駆動手段とを備える。
【００１０】
本発明の電気光学パネルの駆動装置によれば、電気光学パネルにおける任意の一のソースラインに沿った第ｎ行目の画素部に、電荷書込用の水平走査期間において、次のようにして、所定の電圧がプログラムされる。
【００１１】
該電荷書込用の水平走査期間の第１期間及び第２期間のうち、第１期間には、第ｎ行目を含むｋ行分の画素行が、第２期間には第ｎ行目の画素行が、夫々対応する書込走査ラインに第１駆動手段より供給される書込選択信号に応じて選択される。
【００１２】
第１期間において、第２駆動手段は、一のソースラインに対して、選択されたｋ行に応じて、第ｎ行目の画素部に供給される電荷量に対してｋ倍の電荷量を供給する第１電荷供給を行う。そして、ｋ行分の画素部には夫々、一のソースラインに供給された電荷量を該ｋ行分の画素部によって平均化した電荷量が供給され、ＴＦＴ等で構成されるアクティブ素子手段によって各画素部内に取り込まれる。
【００１３】
第２期間には、第２駆動手段は、一のソースラインに対して、選択された第ｎ行目の画素部に対して、該第ｎ行目の画素部に供給されるべき電荷量を供給する第２電荷供給を行う。ここで、第１期間において第ｎ行目の画素部には、取り込まれた電荷量に応じた電圧がプログラムされる。該電圧は、前記所定の電圧に近い値となっている。第２期間に、アクティブ素子手段によって第ｎ行目の画素部に一のソースラインより電荷が取り込まれることにより、該第ｎ行目の画素部に前記所定の電圧がプログラムされる。
【００１４】
よって、本発明の電気光学パネルの駆動装置によれば、電荷書き込み用の水平走査期間に第ｎ行目の画素部のみを選択して電荷を供給する場合よりも、短い時間で当該第ｎ行目の画素部に所定の電圧をプログラムすることが可能となる。特に、ソースラインにおける配線容量が無視し得ない程度に大きい場合にも、第１期間にソースラインを上述の如くｋ倍の電荷量で充電しているので、第２期間ではソースラインを介して短時間のうちに、各画素部に電荷を書き込むのが可能となる。また、第１期間の後、第２期間において第ｎ行目の画素部に所定の電圧がプログラムされることにより、ｋ行分の画素部のうちいずれかの画素部に欠陥が発生していても、該欠陥による影響を殆ど受けずに第ｎ行目の画素部のプログラムを行うことが可能となる。
【００１５】
更に、各画素部の回路規模を大きくしなくても、電流プログラム時のソースラインの電流値を増加させることが可能となる。また、このような電流プログラムを行うことにより、フリッカ等の発生を防止することが可能となり、高品質な画像表示を行うことができる。
【００１６】
本発明の電気光学パネルの駆動装置の一態様では、前記アクティブ素子手段は、前記第２期間以降に、各画素行の表示用の水平走査期間を選択する表示選択信号に応じて、前記第ｎ行目の画素部に係る前記電気光学素子へ、前記第２電荷供給に応じた電荷供給を行うように構成されており、前記第１駆動手段は、前記各画素行に対応して設けられた選択走査ラインを介して前記表示選択信号を、前記第２期間以降に、前記第ｎ行目の画素行に対して供給し、前記第２駆動手段は、前記第１期間には、前記第１電荷供給として偽データ信号の供給を行い、前記第２期間には、前記第２電荷供給として前記第ｎ行目の画素部に対するデータ信号の供給を行う。
【００１７】
この態様によれば、第ｎ行目の画素部に係る電荷書込用の水平走査期間の第１期間において、ｋ行分の画素部には夫々一のソースラインより偽データ信号が取り込まれ、第２期間には、第ｎ行目の画素部には一のソースラインよりデータ信号が取り込まれる。よって、第ｎ行目の画素部には、第１期間において、取り込まれた偽データ信号に応じた電圧がプログラムされ、第２期間において、取り込まれたデータ信号に応じて、所定の電圧がプログラムされることとなる。
【００１８】
そして、第２期間以降、第１駆動手段より表示選択信号が選択走査ライン介して第ｎ行目の画素部に供給される。第ｎ行目の画素部では、表示選択信号に応じて、アクティブ素子手段によって電気光学素子にデータ信号に応じた電荷供給が行われることによって、該電気光学素子を所定の電圧に応じて駆動させることが可能となる。
【００１９】
この、第２期間以降に第ｎ行目の画素部に係る電気光学素子に第２電荷供給に応じた電荷供給を行う態様では、前記第１駆動手段は、前記ｋ行分についての前記書込用の水平走査期間が終了した後に、前記ｋ行分に含まれる前記第ｎ行目に対して前記表示用の水平走査期間を選択するように前記表示選択信号を供給する構成してもよい
【００２０】
このように構成すれば、第ｎ行目の画素部によって偽データ信号に応じた表示が行われるのを防止することができる。
【００２１】
この、第２期間以降に第ｎ行目の画素部に係る電気光学素子に第２電荷供給に応じた電荷供給を行う態様では、前記アクティブ素子手段は、前記書込選択信号により前記第１及び第２電荷供給を開始させる少なくとも一つの第１アクティブ素子と、前記表示選択信号により前記第ｎ行目の画素部に係る前記電気光学素子への前記第２電荷供給に応じた電荷供給を行う少なくとも一つの第２アクティブ素子とを備えるように構成してもよい
【００２２】
このように構成すれば、アクティブ素子手段によるアクティブ制御を次のように行うことが可能となる。
【００２３】
電荷書込用の水平走査期間の第１期間には、ｋ行分の画素部において、第１アクティブ素子によって、偽データ信号の取り込みが制御され、且つ第２期間に第ｎ行目の画素部において、第１アクティブ素子によってデータ信号の取り込みが制御される。また、表示用の水平期間には、第２アクティブ素子によって電気光学素子の駆動が制御される。
【００２４】
本発明の電気光学パネルの駆動装置の他の態様では、前記複数の画素毎に、前記アクティブ素子手段の一部を介して前記電気光学素子に印加される電荷量を規定するように前記第２電荷供給によって蓄電される保持容量を更に備えており、前記第２駆動手段は、前記第１及び第２期間には、前記第１及び第２電荷供給を夫々、前記ソースライン及び前記保持容量に対して行う。
【００２５】
この態様によれば、電荷書込用の水平走査期間の第１期間に、ｋ行分の画素部において夫々、一のソースラインより供給された電荷に応じた電圧が保持容量に書き込まれ、第２期間に第ｎ行目の画素部において、保持容量に第２電荷供給に応じた電圧が書き込まれる。よって、第ｎ行目の画素部において、保持容量に一のソースラインより供給される電荷に応じた電圧が書き込まれることによって、所定の電圧をプログラムすることが可能となる。また、このようなプログラムを行うことにより、電気光学素子が駆動されると、第ｎ行目の画素部において、所定の階調で表示を行うことが可能となる。
【００２６】
この、複数の画素毎に保持容量を更に備える態様では、前記第２駆動手段は、前記第２期間には、前記第２電荷供給を前記ソースライン及び前記保持容量に対して行うことで、前記第ｎ行目の画素部に対するデータ信号に対応する電圧を前記保持容量に書き込むように構成してもよい。
【００２７】
このように構成すれば、第ｎ行目の画素部において、データ信号に応じた所定の電圧によって電気光学素子を駆動することが可能となる。
【００２８】
本発明の電気光学パネルの駆動装置の他の態様では、前記ｋ行分の画素行は、前記ｎ行目の画素行、第ｎ＋１行目の画素行、第ｎ＋２行目の画素行からなる。
【００２９】
この態様によれば、デューティー比を低くすることにより、電気光学パネルの駆動電流を稼ぐことが可能となる。
【００３０】
本発明の電気光学装置は上記課題を解決するために、上述した本発明の電気光学パネルの駆動装置（但し、その各種態様も含む）と、前記電気光学パネルとを備える。
【００３１】
本発明の電気光学装置によれば、フリッカ等の発生を防止し、高品質な画像表示を行うことが可能となる。
【００３２】
本発明の電子機器は上記課題を解決するために、上述した本発明の電気光学装置を具備する。
【００３３】
本発明の電子機器は、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）等を実現することも可能である。
【００３４】
本発明の電気光学パネルの駆動方法は上記課題を解決するために、画像表示領域における複数の画素毎に、電気光学素子と、該電気光学素子をアクティブ制御することでソースラインを介して前記電気光学素子に電荷を、各画素行の電荷書込用の水平走査期間を選択する書込選択信号に応じて選択的に供給するアクティブ素子手段とを備えたアクティブマトリクス型の電気光学パネルを駆動する電気光学パネルの駆動方法であって、前記各画素行に対応して設けられた書込走査ラインを介して前記書込選択信号を、第ｎ（但し、ｎは自然数）行目の画素行に対する前記電荷書込用の水平走査期間のうちの第１期間には、前記第ｎ行目を含むｋ（但し、ｋは２以上の自然数）行分の画素行に対して同時に供給し、前記電荷書込用の水平走査期間のうちの第２期間には、前記第ｎ行目の画素行に対して供給する第１駆動工程と、前記第１期間には、任意の一のソースラインに沿った前記ｋ行分の画素部に対して前記一のソースラインを介して第１電荷供給を同時に行い、前記第２期間には、前記第ｎ行目の画素部に対して前記一のソースラインを介して第２電荷供給を行う第２駆動工程とを備える。
【００３５】
本発明の電気光学パネルの駆動方法では、前述した本発明の電気パネルの駆動装置と同様に、電荷書き込み用の水平走査期間に第ｎ行目の画素部のみを選択して電荷を供給する場合よりも、短い時間で当該第ｎ行目の画素部に所定の電圧をプログラムすることが可能となる。また、第１期間の後、第２期間において第ｎ行目の画素部に所定の電圧がプログラムされることにより、ｋ行分の画素部のうちいずれかの画素部に欠陥が発生していても、該欠陥による影響を殆ど受けずにて第ｎ行目の画素部のプログラムを行うことが可能となる。
【００３６】
更に、各画素部の回路規模を大きくしなくても、電流プログラム時のソースラインの電流値を増加させることが可能となる。また、このような電流プログラムを行うことにより、フリッカ等の発生を防止することが可能となり、高品質な画像表示を行うことができる。
【００３７】
本発明のこのような作用及び他の利得は次に説明する実施の形態から明らかにされる。
【発明を実施するための最良の形態】
【００３８】
以下、本発明の実施形態を図面に基づいて説明する。
【００３９】
＜１；電気光学装置の構成＞
先ず、本発明に係る電気光学装置の全体構成について、図１を参照して説明する。図１は、本実施形態に係る電気光学装置の全体構成を示すブロック図である。
【００４０】
図１に示すように、電気光学装置１の主要部には、本発明に係る「電気光学パネル」の一例たる有機ＥＬパネル１００、並びに本発明に係る「第１駆動手段」に相当する走査線駆動回路１３０及び本発明に係る「第２駆動手段」に相当するデータ線駆動回路１５０を備える駆動装置１６０が含まれる。
【００４１】
有機ＥＬパネル１００は、画像表示領域１１０に、縦横に配線された、データ線たるソースライン１１４及び書込走査ライン１１２ａを備え、それらの交点に対応する各画素部７０はマトリクス状に配列される。更に、画像表示領域１１０には、各書込走査ライン１１２ａに対して配列された画素部７０に対応する選択走査ライン１１２ｂが設けられると共に、各ソースライン１１４に対して配列された画素部７０に対応する電流供給線１１７が設けられている。
【００４２】
尚、本実施形態では、説明の便宜上、書込走査ライン１１２ａの総本数を１０本とし、ソースライン１１４の総本数を３本として説明する。また、赤色（Ｒ）用、緑色（Ｇ）用、及び青色（Ｂ）用の３種のソースライン１１４が設けられているものとする。
【００４３】
図２は、画素部７０の回路構成を示す回路図である。図２において、画素部７０には、本発明に係る「第１アクティブ素子」に相当するスイッチング用トランジスタ７７、プログラム用トランジスタ７６、ドライビングトランジスタ７４、及び本発明に係る「第２アクティブ素子」に相当する点灯用トランジスタ７３の４種のトランジスタと、保持容量７５並びに本発明に係る「電気光学素子」に相当する有機ＥＬ素子７２とが設けられている。
【００４４】
４種のトランジスタによって、本発明に係る「アクティブ素子手段」が構成される。４種のトランジスタのうち、スイッチング用トランジスタ７７、プログラム用トランジスタ７６、及び点灯用トランジスタ７３は夫々、ｎチャネルＭＯＳ（Metal-Oxide-Semiconductor）ＴＦＴを用いて構成されており、ドライビングトランジスタ７４はｐチャネルＭＯＳＴＦＴを用いて構成されている。尚、スイッチング用トランジスタ７７、プログラム用トランジスタ７６、及び点灯用トランジスタ７３を夫々ｐチャネルＭＯＳＴＦＴを用いて構成し、ドライビングトランジスタ７４をｎチャネルＭＯＳＴＦＴを用いて構成してもよい。
【００４５】
スイッチング用トランジスタ７７及びプログラム用トランジスタ７６のゲート電極は夫々書込走査ライン１１２ａに電気的に接続されている。スイッチング用トランジスタ７７のソース電極にはソースライン１１４が電気的に接続され、スイッチング用トランジスタ７７のドレイン電極は、プログラム用トランジスタ７６のソース電極及びドライビングトランジスタ７４のドレイン電極に夫々電気的に接続されている。また、プログラム用トランジスタ７６のドレイン電極は保持容量７５に電気的に接続される。更に、ドライビングトランジスタ７４のソース電極は電流供給線１１７に電気的に接続されると共に、ドライビングトランジスタ７４のゲート電極は、プログラム用トランジスタ７６のドレイン電極と保持容量７５との接続点に電気的に接続される。また、点灯用トランジスタ７３のソース電極はドライビングトランジスタ７４のドレイン電極に電気的に接続されると共に、点灯用トランジスタ７３のドレイン電極には有機ＥＬ素子７２の陽極が電気的に接続されている。加えて、点灯用トランジスタ７３のゲート電極は、選択走査ライン１１２ｂに電気的に接続される。
【００４６】
図１において、電気光学装置１は、陰極電源ＶＣＤ及び３種の陽極電源ＶＡＤ１、ＶＡＤ２、及びＶＡＤ３を備えている。画像表示領域１１０に配列された画素部７０における有機ＥＬ素子７２の陰極は共通の陰極電源ＶＣＤに接続されている。また、Ｒ用のソースライン１１４に沿って配列された画素部７０に対応する電流供給線１１７はＲ用陽極電源ＶＡＤ１に接続され、Ｇ用のソースライン１１４に沿って配列された画素部７０に対応する電流供給線１１７はＧ用陽極電源ＶＡＤ２に接続され、Ｂ用のソースライン１１４に沿って配列された画素部７０に対応する電流供給線１１７はＢ用陽極電源ＶＡＤ３に接続されている。
【００４７】
走査線駆動回路１３０は、アドレッシング回路１３１と、書込走査ライン１１２ａ毎に受けられる第１論理回路１３４ａ及び選択走査ライン１１２ｂ毎に設けられる第２論理回路１３４ｂとを備えている。走査線駆動回路１３０において、第１論理回路１３４ａはアドレッシング回路１３１において生成されて出力される信号に基づいて、書込選択信号ＧＷＲＴを生成し、第２論理回路１３４ｂはアドレッシング回路１３１の出力信号に基づいて、表示選択信号ＧＳＥＬを生成する。
【００４８】
書込選択信号ＧＷＲＴは、第１論理回路１３４ａより対応する書込走査ライン１１２ａに所定のタイミングで出力される。書込選択信号ＧＷＲＴは、書込走査ライン１１２ａに対応する画素行の電荷書込用の水平走査期間を選択する信号である。また、表示選択信号ＧＳＥＬは、第２論理回路１３４ｂより対応する選択走査ライン１１２ｂに所定のタイミングで出力される。表示選択信号ＧＳＥＬは、選択走査ライン１１２ｂに対応する画素行の表示用の水平走査期間を選択する信号である。
【００４９】
また、データ線駆動回路１５０には、図１には図示しない画像信号処理回路から、Ｒ用の画像信号Ｄａｔａ１、Ｇ用の画像信号Ｄａｔａ２、及びＢ用の画像信号Ｄａｔａ３が供給される。データ線駆動回路１５０は、Ｒ用のソースライン１１４にＲ用の画像信号Ｄａｔａ１をサンプリングして供給するＲ用のスイッチング素子、Ｇ用のソースライン１１４にＧ用の画像信号Ｄａｔａ２をサンプリングして供給するＧ用のスイッチング素子、Ｂ用のソースライン１１４にＢ用の画像信号Ｄａｔａ３をサンプリングして供給するＢ用のスイッチング素子を備えている。
【００５０】
ここで、Ｒ用のソースライン１１４に対応して配列された画素部７０は、赤色に相当する光を発光する有機ＥＬ素子７２を含み、Ｇ用のソースライン１１４に対応して配列された画素部７０は、緑色に相当する光を発光する有機ＥＬ素子７２を含み、Ｂ用のソースライン１１４に対応して配列された画素部７０は、緑色に相当する光を発光する有機ＥＬ素子７２を含んでなる。
【００５１】
尚、以下において、Ｒ用の画像信号Ｄａｔａ１、Ｇ用の画像信号Ｄａｔａ２、及びＢ用の画像信号Ｄａｔａ３を単に画像信号ＤＡＴＡとして説明することもある。また、走査線駆動回路１３０の動作と、データ線駆動回路１５０の動作とは、図１には図示しない同期信号によって、相互に同期が図られる。
【００５２】
＜２；電気光学装置の動作＞
次に、図１に加え、図３から図８を参照して電気光学装置１の動作について説明する。図３及び図４は夫々、電気光学装置１の動作について模式的に説明するための模式図であって、図５は、電気光学装置１の動作を説明するためのタイミングチャートを示す図である。また、図６、図７、及び図８は夫々、電気光学装置１の動作時における、一のソースライン１１４に対応して配列された第６行目から第８行目の画素部７０の動作について説明するための回路図である。
【００５３】
図１に示す電気光学装置１の動作は以下のようなものであるとする。先ず、図３において、第１の動作として、有機ＥＬパネル１００の画像表示領域１１０に配列された１０行×３列の画素部７０のうち、第１行目及び第２行目に配列された２行×３列の画素部７０は消灯し、第３行目から第５行目に配列された３行×３列の画素部７０は点灯して表示を行い、第６行目から第８行目に配列された３行×３列の画素部７０に対して第６行目の画素部７０に対する電流プログラムによって電荷の書込みが行われ、第９行目及び第１０行目に配列された２行×３列の画素部７０は消灯する。
【００５４】
また、第１の動作の後、次のような第２の動作が行われる。図３に示す第１の動作と比較して異なる点は、図４において、第１の動作では点灯していた第３行目の画素部７０は消灯し、電流プログラムが終了した第６行目の画素部７０が点灯して表示を行い、第７行目から第９行目に配列された３行×３列の画素部７０に対して第７行目の画素部７０に対する電流プログラムによって電荷の書込みが行われる。
【００５５】
次に、図５から図７を参照して、第１の動作における第６行目から第８行目に配列された３行×３列の画素部７０の動作について詳細に説明する。以下においては、３本のソースライン１１４のうち任意の一のソースライン１１４に沿った第６行目から第８行目の画素部７０に着目して説明する。
【００５６】
本実施形態では、一のソースライン１１４に配列された第１行目から第１０行目に向かって、順次各画素行に対する電流プログラムが行われる。また、第ｎ行目の画素部７０に対する電流プログラム時、ｋ行分の画素部として、第ｎ行目の画素部７０の他、第ｎ＋１行目の画素部７０及び第ｎ＋２行目の画素部７０が同時に選択される。
【００５７】
一のソースライン１１４には、走査線駆動回路１３０から書込選択信号ＧＷＲＴが出力されるタイミングに同期して、データ線駆動回路１５０から画像信号ＤＡＴＡが供給される。より具体的には、データ線駆動回路１５０から、画像信号ＤＡＴＡとして偽データ信号が供給されることによって、第１電荷供給が行われると共に、画像信号ＤＡＴＡとしてデータ信号が供給されることによって、第２電荷供給が行われる。
【００５８】
第１の動作では、図６及び図７に示す第６行目の画素部７０ａの画素部に対して電流プログラムが行われる。図５において、ｎ＝６として説明する。
【００５９】
図５において、時刻ｔ４に、走査線駆動回路１３０から第６の書込選択信号ＧＷＲＴｎ（ｎ＝６）が出力されて、第６の書込選択信号ＧＷＲＴ６の電位がハイレベルとなる。図６において、第６の書込選択信号ＧＷＲＴ６がハイレベルとなると、第６行目の書込走査ライン１１２ａａを介して、第６行目の画素部７０ａに第６の書込選択信号ＧＷＲＴ６が供給される。また、第６の書込選択信号ＧＷＲＴ６がハイレベルとなる時刻ｔ４から時刻ｔ６までの期間が、第６行目の画素部７０ａに対する電荷書込用の水平走査期間に相当する。
【００６０】
また、時刻ｔ４には、第６の書込選択信号ＧＷＲＴ６に加えて、第７の書込選択信号ＧＷＲＴｎ＋１（ｎ＋１＝７）及び第８の書込選択信号ＧＷＲＴｎ＋２（ｎ＋２＝８）も走査線駆動回路１３０から出力され、第７の書込選択信号ＧＷＲＴ７及び第８の書込選択信号ＧＷＲＴ８の各々の電位は、同時にハイレベルとなる。図６において、第６行目の画素部７０ａに対して第６の書込選択信号ＧＷＲＴ６が供給されると同時に、第７の書込選択信号ＧＷＲＴ７は、第７行目の書込走査ライン１１２ａｂを介して、第７行目の画素部７０ｂに供給され、第８の書込選択信号ＧＷＲＴ８は、第８行目の書込走査ライン１１２ａｃを介して、第８行目の画素部７０ｃに供給される。
【００６１】
ここで、第７の書込選択信号ＧＷＲＴ７及び第８の書込選択信号ＧＷＲＴ８がハイレベルとなる時刻ｔ４から時刻ｔ５までの期間が、第６行目の画素部７０ａに対する電荷書込用の水平走査期間の第１期間に相当し、時刻ｔ５から時刻ｔ６までの期間が第２期間に相当する。
【００６２】
第６行目の画素部７０ａにおいて、第６の書込選択信号ＧＷＲＴ６が供給されると、スイッチング用トランジスタ７７ａ及びプログラム用トランジスタ７６ａがオン状態となり、第６行目の画素部７０ａが選択された状態となる。また、第６行目の画素部７０ａと同様に、該第６行目の画素部７０ａと同時に、第７行目の画素部７０ｂ及び第８行目の画素部７０ｃも選択された状態となる。
【００６３】
図５において、時刻ｔ４には、データ線駆動回路１５０から一のソースライン１１４に偽データ信号が供給される。偽データ信号の供給により、一のソースライン１１４には、選択された３行に応じて、第６行目の画素部７０ａに供給されるべき電荷量に対して３倍の電荷量に相当する電流ｉｐｘｌ×３が供給される。そして、選択された第６行目から第８行目の画素部７０ａ、７０ｂ、及び７０ｃには、夫々、一のソースライン１１４に供給された電流ｉｐｘｌ×３を当該３行分の画素部７０ａ、７０ｂ、及び７０ｃによって平均化した電流ｉｐｘｌが供給される。
【００６４】
第６行目の画素部７０ａにおいて、スイッチング用トランジスタ７７ａ及びプログラム用トランジスタ７６ａがオン状態となると、スイッチング用トランジスタ７７ａによって一のソースライン１１４より偽データ信号が取り込まれる。そして、取り込まれた偽データ信号はプログラム用トランジスタ７６ａを介して保持容量７５ａに書き込まれる。尚、保持容量７５ａに書き込まれた偽データ信号に応じた電流ｉｐｘｌによって、ダイオード接続されたドライビングトランジスタ７４ａの電気的な導通状態が決定する。
【００６５】
また、第６行目の画素部７０ａと同様、第７行目の画素部７０ｂ及び第８行目の画素部７０ｃにおいても、スイッチング用トランジスタ７７ｂ及び７７ｃによって一のソースライン１１４より偽データ信号の取り込みが行われ、保持容量７５ｂ及び７５ｃに取り込まれた偽データ信号が書き込まれる。
【００６６】
続いて、図７において、第２期間には、第６の書込選択信号ＧＷＲＴ６に応じて第６行目の画素部７０ａのみが選択された状態となる。よって、第２期間の開始時、時刻ｔ５において、第７行目の画素部７０ｂにおいて、スイッチング用トランジスタ７７ｂ及びプログラム用トランジスタ７６ｂはオフ状態となり、第８行目の画素部７０ｃも、第７行目の画素部７０ｂと同様の状態となる。
【００６７】
図５において、第２期間には、データ線駆動回路１５０から一のソースライン１１４にデータ信号が供給される。データ信号の供給により、一のソースライン１１４には、第６行目の画素部７０ａに供給されるべき電荷量に相当する電流ｉｐｘｌが供給される。そして、第６行目の画素部７０ａにおいて、スイッチング用トランジスタ７７ａによって一のソースライン１１４よりデータ信号が取り込まれ、該データ信号はプログラム用トランジスタ７６ａを介して保持容量７５ａに書き込まれる。
【００６８】
ここで、第１期間には、第６行目の画素部７０ａにおいて、保持容量７５ａに書き込まれた電圧は、当該第６行目の画素部７０ａにプログラムされる所定の電圧に近い値となっている。そして、保持容量７５ａにデータ信号が書き込まれることによって、該保持容量７５ａに所定の電圧がプログラムされることとなる。
【００６９】
その後、時刻ｔ６において第２期間が終了すると、第６行目の画素部７０ａにおいて、スイッチング用トランジスタ７７ａ及びプログラム用トランジスタ７６ａはオフ状態となる。これにより第１の動作が終了される。
【００７０】
続いて、図５の他、図８を参照して第２の動作における、一のソースライン１１４に沿った第６行目から第８行目の画素部７０の動作について説明する。
【００７１】
本実施形態では、一のソースライン１１４に配列された第１行目から第１０行目に向かって、各画素行に対して順次電流プログラムが行われた後、該各画素行を順次点灯させる。
【００７２】
ここで、図５に示す時刻ｔ４から時刻ｔ６までの期間において、第６行目から第８行目の画素部７０ａ、７０ｂ、及び７０ｃにおいて、点灯用トランジスタ７３ａ、７３ｂ、及び７３ｃはオフ状態にある。時刻ｔ７において、走査線駆動回路１３０から第６の表示選択信号ＧＳＥＬｎ（ｎ＝６）が出力されて、第６の表示選択信号ＧＳＥＬの電位がハイレベルとなる。図８において、第６の表示選択信号ＧＳＥＬ６がハイレベルとなると、第６行目の選択走査ライン１１２ｂａを介して、第６行目の画素部７０ａに第６の表示選択信号ＧＳＥＬ６が供給される。尚、第６の表示選択信号ＧＳＥＬ６がハイレベルとなる期間が、第６行目の画素部７０ａに対する表示用の水平走査期間に相当する。
【００７３】
第６行目の画素部７０ａにおいて、第６の表示選択信号ＧＷＲＴ６が供給されると、点灯用トランジスタ７３ａがオン状態となり、ドライビングトランジスタ７４ａ及び電流供給線１１７を介して、保持容量７５ａに書き込まれた所定の電圧に応じた電流ｉｐｘｌが点灯用トランジスタ７３ａより有機ＥＬ素子７２ａに供給される。有機ＥＬ素子７２ａは、供給された電流ｉｐｘｌに応じて点灯する。
【００７４】
尚、第２の動作では、時刻ｔ７以降、第７行目の画素部７０ｂに対する電流プログラムが、第６行目の画素部７０ａと同様に行われる。また、第６行目の画素部７０ａと同様に、第５行目、第４行目、及び第３行目の画素部７０についても、該第６行目の画素部７０ａより前に電流プログラムが、該第６行目の画素部７０ａと同様に行われる。よって、図５において、時刻ｔ１、時刻ｔ２、時刻ｔ３、及び時刻ｔ８においてデータ信号の供給がデータ線駆動回路１５０から行われることとなる。
【００７５】
よって、本実施形態の電気光学装置１によれば、電荷書き込み用の水平走査期間に第ｎ行目の画素部７０のみを選択して電荷を供給する場合よりも、短い時間で当該第ｎ行目の画素部７０に所定の電圧をプログラムすることが可能となる。特に、ソースライン１１４及び電流供給線１１７における配線容量が無視し得ない程度に大きい場合にも、第１期間にソースライン１１４及び電流供給線１１７を上述の如くｋ倍の電荷量で充電しているので、第２期間ではソースライン１１７及び電流供給線１１７を介して短時間のうちに、各画素部７０に電荷を書き込むのが可能となる。また、第１期間の後、第２期間において第ｎ行目の画素部７０に所定の電圧がプログラムされることにより、３行分の画素部７０のうちいずれかの画素部７０に欠陥が発生していても、該欠陥による影響を殆ど受けずに第ｎ行目の画素部７０のプログラムを行うことが可能となる。更に、各画素部７０の回路規模を大きくしなくても、電流プログラム時のソースライン１１４の電流値を増加させることが可能となる。また、このような電流プログラムを行うことにより、電気光学装置１フリッカ等の発生を防止することが可能となり、高品質な画像表示を行うことができる。
【００７６】
また、第２期間以降に、第ｎ行目の表示用水平走査期間が選択されるため、該第ｎ行目の画素部７０によって、偽データ信号に応じた表示が行われるのを防止することができる。
【００７７】
更に、本実施形態では電流プログラム時、３行分の画素部７０を選択し、該３行分の画素部７０を連続して点灯させることで、デューティー比を低くすることにより、電気光学パネルの駆動電流を稼ぐことが可能となる。
【００７８】
＜３：電子機器＞
次に、上述した電気光学装置１が各種の電子機器に適用される場合について説明する。
【００７９】
＜３−１：モバイル型コンピュータ＞
先ず、この電気光学装置を、モバイル型のパーソナルコンピュータに適用した例について説明する。図９は、このパーソナルコンピュータの構成を示す斜視図である。図において、コンピュータ１２００は、キーボード１２０２を備えた本体部１２０４と、電気光学装置を用いて構成された表示ユニット１２０６とを備えている。
【００８０】
＜３−２；携帯電話＞
さらに、この電気光学装置を、携帯電話に適用した例について説明する。図１０は、この携帯電話の構成を示す斜視図である。図において、携帯電話１３００は、複数の操作ボタン１３０２とともに、有機ＥＬパネルを有する電気光学装置を備えるものである。尚、図１０中、有機ＥＬパネルには符号１００５を付して示してある。
【００８１】
この他にも、電気光学装置は、ノート型のパーソナルコンピュータ、ＰＤＡ、テレビ、ビューファインダ、モニタ直視型のビデオテープレコーダ、カーナビゲーション装置、ページャ、電子手帳、電卓、ワードプロセッサ、ワークステーション、ＰＯＳ端末、タッチパネルを備えた装置等に適用することができる。
【００８２】
本発明は、上述した実施形態に限られるものではなく、請求の範囲及び明細書全体から読み取れる発明の要旨、あるいは思想に反しない範囲で適宜変更可能であり、そのような変更を伴う電気光学パネルの駆動装置及び駆動方法、該電気光学パネル及び駆動装置を備えてなる電気光学装置、並びにそのような電気光学装置を備えた各種電子機器もまた、本発明の技術的範囲に含まれるものである。
【図面の簡単な説明】
【００８３】
【図１】電気光学装置の全体構成を示すブロック図である。
【図２】画素部の回路構成を示す回路図である。
【図３】電気光学装置の第１の動作について説明するための模式図である。
【図４】電気光学装置の第２の動作について説明するための模式図である。
【図５】電気光学装置の動作を説明するためのタイミングチャートを示す図である。
【図６】第６行目から第８行目の画素部の一の動作について説明するための回路図である。
【図７】第６行目から第８行目の画素部の他の動作について説明するための回路図である。
【図８】第６行目から第８行目の画素部の他の動作について説明するための回路図である。
【図９】電気光学装置を適用した電子機器の一例たるパーソナルコンピュータの構成を示す斜視図である。
【図１０】電気光学装置を適用した電子機器の一例たる携帯電話の構成を示す斜視図である。
【符号の説明】
【００８４】
１…電気光学装置
７０…画素部
１００…電気光学パネル
１１０…画像表示領域
１１２ａ…書込走査ライン
１１４…ソースライン
１３０…走査線駆動回路
１５０…データ線駆動回路
１６０…駆動装置
ＧＷＲＴ…書込選択信号
ＤＡＴＡ、Ｄａｔａ１、Ｄａｔａ２、Ｄａｔａ３…画像信号
【図１】
2005164823.tif 000003
【図２】
2005164823.tif 000004
【図３】
2005164823.tif 000005
【図４】
2005164823.tif 000006
【図５】
2005164823.tif 000007
【図６】
2005164823.tif 000008
【図７】
2005164823.tif 000009
【図８】
2005164823.tif 000010
【図９】
2005164823.tif 000011
【図１０】
2005164823.tif 000012